(57)【要約】      （修正有）【課題】容易に製造可能で、投擲競技場等にも利用でき、かつ、より天然芝生に近い人工芝構造を提供する。【解決手段】シート部材１２、２２と、該シート部材１２、２２に間隔をおいて立設されたフィラメント１４、２４と、フィラメント１４、２４の間に充填材を充填して形成された充填層１６、２６と、を備えた合成マットが、複数重ねて敷設されている人工芝構造において、充填層１６、２６は、天然ヤシをベースにした充填材が充填されており、第１の合成マット１０の充填層１６の充填材はフィラメント１４の先端に至るまで充填されており、第１の合成マット１０の充填層１６の上に第２の合成マット２０のシート部材２２が重ねられており、該第２の合成マット２０のフィラメント２４の先端部は、充填層２６の上面より突出している。【選択図】図１
0003206608.tif 000002
【実用新案登録請求の範囲】
【請求項１】
シート部材と、該シート部材に間隔をおいて立設されたフィラメントと、前記フィラメントの間に充填材を充填して形成された充填層と、を備えた合成マットが、複数重ねて敷設されている人工芝構造において、
前記充填層は、天然ヤシをベースにした充填材が充填されており、
第１の合成マットの充填層の充填材は、フィラメントの先端に至るまで充填されており、
前記第１の合成マットの充填層の上に第２の合成マットのシート部材が重ねられており、
該第２の合成マットのフィラメントの先端部は、充填層の上面より突出していることを特徴とする人工芝構造。
【請求項２】
前記充填層は、シート部材に密接する下充填層部と、該下充填層部上に重合する天然ヤシ層部とからなることを特徴とする請求項１記載の人工芝構造。
【請求項３】
前記下充填層部の充填材は、硅砂であり、天然ヤシ層部の充填材は、ココナツヤシ繊維であることを特徴とする請求項２記載の人工芝構造。
【請求項４】
第２の合成マットの天然ヤシ層部の厚さは、下充填層部の厚さより厚く形成されていることを特徴とする請求項２記載の人工芝構造。
【請求項５】
前記第２の合成マットのフィラメントの先端部は、充填層の表面より15 mm突出していることを特徴とする請求項１記載の人工芝構造。
【請求項６】
天然ヤシは、繊維状、粒状、又は、細切状の状態で充填されることを特徴とする請求項１記載の人工芝構造。
【請求項７】
第２の合成マットの天然ヤシ層部の厚さは、第１の合成マットの天然ヤシ層部よりも厚く形成されていることを特徴とする請求項２記載の人工芝構造。
【考案の詳細な説明】
【技術分野】
【０００１】
この考案は、スポーツ競技場等に用いられる、人工芝構造に関するものである。
【背景技術】
【０００２】
従来の人工芝は、基布に複数のフィラメントを立設し、該フィラメントの間にゴムチップ等の充填材を充填して充填層を形成している。この人工芝は各種運動場等で利用されているが、槍投げやハンマー投げなどの投擲競技を行う運動場では、槍が刺さらなかったり、ハンマーの落下地点が判別し難くなったり、ハンマーがバウンドして怪我をしたりする、などの問題が発生している。
【０００３】
そこで、前記問題を解決するため、次の様な人工芝が開発されている（例えば、特許文献１、参照）。基布にパイルが稙設され、そのパイル長が130 mm以上かつ該基布上の該パイル間に充填された充填物の厚さが100 mm以上で、該充填物の上面から該パイルの突出長が15 mm以上30 mm以下であるとともに、前記充填物は弾性粒状物からなる下層、固結防止剤と弾性粒状物と硬質粒状物との混合物からなる中間層、及び前記硬質粒状物からなる上層、の３層をなすことを特徴とする人工芝。
【先行技術文献】
【特許文献】
【０００４】
【特許文献１】特開２００９−１３８４０３号公報
【考案の概要】
【考案が解決しようとする課題】
【０００５】
特許文献１の人工芝は、充填物を厚くして槍投げやハンマー投げなどの競技にも対応できるように形成されているが、130 mm以上もの長いパイルを稙設しなければないので、製造が容易でなく、敷設工事が困難である。又、充填材として廃タイヤなどのゴムチップを用いているので、異臭や温度上昇の原因となるほか、排水性や耐久性にも問題がある。
【０００６】
この考案は、上記事情に鑑み、容易に製造可能で、投擲競技場等にも利用できる人工芝を提供することを目的とする。他の目的は、より天然芝生に近い人工芝を得ることである。
【課題を解決するための手段】
【０００７】
この考案は、シート部材と、該シート部材に間隔をおいて立設されたフィラメントと、前記フィラメントの間に充填材を充填して形成された充填層と、を備えた合成マットが、複数重ねて敷設されている人工芝構造において、前記充填層は、天然ヤシをベースにした充填材が充填されており、第１の合成マットの充填層の充填材はフィラメントの先端に至るまで充填されており、前記前記第１の合成マットの充填層の上に第２の合成マットのシート部材が重ねられており、該第２の合成マットのフィラメントの先端部は、充填層の上面より突出していることを特徴とする。
【０００８】
この考案の前記充填層は、シート部材に密接する下充填層部と、該下充填層部上に重合する天然ヤシ層部とからなることを特徴とする。この考案の下充填層部の充填材は、硅砂であり、天然ヤシ層部の充填材は、ココナツヤシ繊維であることを特徴とする。この考案の第２の合成マットの天然ヤシ層部の厚さは、下充填層部の厚さより厚く形成されていることを特徴とする。
【０００９】
この考案の第２の合成マットのフィラメントの先端部は、充填層の表面より15 mm突出していることを特徴とする。この考案の天然ヤシは、繊維状、粒状、又は、細切状の状態で充填されることを特徴とする。この考案の第２の合成マットの天然ヤシ層部の厚さは、第１の合成マットの天然ヤシ層部よりも厚く形成されていることを特徴とする。
【００１０】
この考案は、以上のように構成したので、容易に製造可能であり、かつ、投擲競技等にも利用可能となる。又、天然ヤシをベースとする充填材は、気温の高い夏でも、凍るような冬でも、常に一定の温度と湿度を保つことができるので、安全にプレーをすることができる。
【００１１】
天然ヤシは、天然素材なので、如何なる環境においても揮発性のガスが発生することが無く、安全で快適である。又、排水性が良いので、天然フイールドに見かける降雨後の水たまりや土の泥化などの問題を無くし、降雨後のプレーを快適にする。この様に本考案の人工芝構造を用いることにより、より天然芝生に近づくことが可能となる。
【図面の簡単な説明】
【００１２】
【図１】本考案の第１実施例を示す縦断面図である。
【考案を実施するための形態】
【００１３】
本考案者は、従来の人工芝構造をより天然芝生に近づけるには、どのような構造にすれば良いか、検討した。その結果、シート部材と、該シート部材に間隔をおいて立設されたフィラメントと、前記フィラメントの間に充填材を充填して形成された充填層と、からなる合成マットを形成し、前記充填層に天然ヤシをベースにした充填材を充填すれば良いことが分かった。又、前記合成マットを複数重ねて敷設し所定厚さにすると、投擲競技にも利用できることが分かった。本考案は、前記知見に基いてなされたものである。
【実施例】
【００１４】
本考案の実施例１を図１に基いて説明する。陸上競技場（投擲競技場）には、基礎部１の上に第１の合成マット１０が敷設され、その上に第２の合成マット２０が敷設されている。
【００１５】
前記基礎部１は、リサイクルゴムチップ、硅砂により形成した下地層３と、アンダーパット５と、により形成されている。前記下地層３の厚さｔ１とアンダーパット５の厚さｔ２は、それぞれ50 mmの厚さに形成されるが、これらの厚さは必要に応じて適宜選択される。
【００１６】
第１の合成マット１０は、シート部材１２と、フィラメント１４と、充填層１６、とを備えている。前記シート部材１２として、ポリプロピレン製の平織りの織布が用いられるが、これに限定されるものではなく、例えば、不織布、合成ゴム製シート、合成繊維製シート、プラスチック製シート、などを用いることができる。又、前記シート部材１２の表面に、スプレーやコーテングにより適切な高分子補強層を形成することができる。
【００１７】
フィラメント（「パイル」ともいう）１４として、幅60 mm、厚さ310マイクロンのポリエチレン繊維が用いられるが、必ずしもこれに限定されるものではなく、例えば、ポリアミド繊維、ポリプロピレン繊維、ファブリル化繊維、等を用いることができる。又、長さの違う２種類にヤーン、例えば、40 mmのファブリル化繊維と、60 mmのモノフィラメント（単一繊維）とを用いることもある。前記フィラメント１４は前記シート部材１２に縫製したり、又は、織り込んだりして固定立設され、高さｈが60 mmの芝葉となるが、その高さhや稙設本数等は、必要に応じて適宜選択される。
【００１８】
充填層１６は、天然ヤシをベースにした充填材が充填されている。前記充填層１６は、下充填層部１６ａと、該下充填層部１６ａに重合する天然ヤシ層部１６ｂにより構成されている。前記下充填層部１６ａには、硅砂が充填されているが、必ずしもこれに限定されるものではなく、例えば、川砂や山砂などの砂、炭酸カルシウム、ガラスなどの無機粒状物や合成樹脂の硬質な粒状物位等を利用することもできる。
【００１９】
天然ヤシ層部１６ｂには、ココヤシ繊維が充填されているが、必ずしもこれに限定されず、例えば、ヤシ繊維、ヤシの繊維ペレット、ヤシ殻炭、ココ泥炭、などを用いても良い。又、ココナツに代えて、他の類似の草木材、例えば、リュウゼツラン、特に、サイザルアサ・アロー繊維のとれる「アオノリュウゼツラン」、等も利用可能である。前記充填材は、必ずしも繊維状である必要はなく、例えば、粒状、細切状など状態であっても良い。
【００２０】
前記下充填層部１６ａの厚さｔ３と天然ヤシ層部１６ｂの厚さｔ４は、それぞれ30 mmに形成されているが、これらの厚さは、必要に応じて適宜選択することができ、例えば、天然ヤシ層部１６ｂを下充填層部１６ａより厚く形成することもできる。前記フィラメント１４の先端は、天然ヤシ層部１６ｂの上面に位置しているが、ほぼ上記上面に位置すればよく、多少突出しても問題がない。
【００２１】
第２の合成マット
前記第１の合成マット１０の上面には、第２の合成マット２０が敷設されている。この第２の合成マット２０は、前記第１の合成マット１０とほぼ同様に形成されている。即ち、第２の合成マット１０は、シート部材２２と、フィラメント２４と、充填層２６、とを備えている。前記シート部材２２は前記第1のシート部材１２と同様である。
【００２２】
第２の合成マット２０のフィラメント２４は、第１の合成マット１０のフィラメント１４と同様であるが、フィラメント２４の先端部が充填層２６の上面から吐出している点が相違する。この突出高さｈ１は、15 mm〜30 mmの範囲内で適宜選択され、例えば、この高さｈ１として15 mmが選択される。
【００２３】
このように充填層２０の上面から天然芝に類似のフィラメン２４が突出しているので、天然芝と見分けがつかない上、ボール競技の場合には、ボールの転がり具合も程よく素晴らしい使用感を得ることができる。なお、フィラメント２４の稙設本数は、必要に応じて適宜選択されるが、この第２の合成マットでは、1 m2あたり110,000本以上の繊維が縫い込まれている。
【００２４】
充填層２６は、第１の合成マット１０と略同じであるが、天然ヤシ層部２６ｂの厚さｔ６は35 mm、下充填層部２６ａの厚さｔ５は10 mm、に形成され、天然ヤシ層部２６ｂが下充填層部２６ａよりも厚く形成されている点が相違している。この様に天然ヤシ層部２６ｂを厚くすると、競技中に砲丸や槍などの投擲用具が落下しても、充填層２６で砲丸が停止し、又、槍の挿入をスムーズに制御することができる。
【００２５】
本実施例では、第１の合成マット１０の上に第２の合成マット２０を重合しているので、第２の合成マット２０が経年劣化や損傷した時に、第１の合成マット１０を残し、第２の合成マット２０だけを新しい合成マットと交換し、人工芝を継続させることができる。又、必要に応じて第１の合成マット１０と第２の合成マット２０との間に、第３の合成マットを挿入することもできる。
【符号の説明】
【００２６】
１      基礎部
１０    第１の合成マット
１２    シート部材
１４    フィラメント
１６    充填層
１６ａ  下充填層部
１６ｂ  天然ヤシ層部
２０    第２の合成マット
２２    シート部材
２４    フィラメント
２６    充填層
２６ａ  下充填層部
２６ｂ  天然ヤシ層部
ｈ      フィラメントの高さ
ｔ３    下充填層部の厚さ        
ｔ４    天然ヤシ層部の厚さ
ｔ５    下充填層部の厚さ        
ｔ６    天然ヤシ層部の厚さ
【図１】
0003206608.tif 000003